(57)【要約】【課題】  洗濯機まわりの物品を整理整頓し設置しやすく使い勝手のよい洗濯機用簡易収納棚を提供する。【解決手段】方形状の枠体に格子状に組んだ複数の桟を有し、さらに伸縮調整自在の脚部を有し形成された本体に磁石を内蔵したＵ字状の押さえ部にて外横枠をまたいで洗濯機に磁着させ、引っ掛け部を有する物品収納カゴを、組まれた桟の希望の場所に引っ掛け、物品収納を可能とすることを特徴とする洗濯機用簡易収納棚。【選択図】図１
2009125559.tif 000002
【特許請求の範囲】
【請求項１】
方形状の枠体に格子状に組んだ複数の桟を有し、さらに伸縮調整自在の脚部を有し形成された本体に磁石を内蔵したＵ字状の押さえ部にて外横枠をまたいで洗濯機に磁着させ、引っ掛け部を有する物品収納カゴを、組まれた桟の希望の場所に引っ掛け、物品収納を可能とすることを特徴とする洗濯機用簡易収納棚。
【請求項２】
貫通孔を有する押さえ部に外横枠を貫通させて押さえ部と枠体が一体化した請求項１の洗濯機用簡易収納棚。
【発明の詳細な説明】
【技術分野】
【０００１】  本発明は、洗濯機の前面及び側面に取り付けが可能で洗濯機まわりの物品収納が容易な洗濯機用簡易収納棚に関するものである。
【背景技術】
【０００２】  従来は洗濯機まわりに支柱を組んで上部空間に棚を組むものがあった。（特許文献１）。取り付け枠を形成し背面に吸着版を固定し前後方向にスライド自在に案内する上下一対の案内レールを固定した洗濯機の側面取付専用の収納ラックなどがあった。（特許文献２）。
【特許文献１】登録実用新案第３０８６６５８号
【特許文献２】登録実用新案第３００５１１７号
【発明の開示】
【発明が解決しようとする課題】
【０００３】  そのために、次のような問題点があった。
（イ）洗濯機の上部空間に棚を組むタイプのものは、別置きの乾燥機が設置されていると棚の設置が不可能であった。洗濯機を介さずに棚を設置することはできるがスペースがないとやはり設置はできなかった。
（ロ）洗濯機の上部取出し口を開閉させる際、棚が洗濯機作業を邪魔するものもあった。
（ハ）洗濯機を介して組み立てるので棚の組立て作業が困難であった。
（ニ）側面に取付けるタイプのものは、吸着盤であると外れやすく物品が落下するおそれがあった。
（ホ）取付枠の高さ及び収納カゴの位置が固定されているので、様々の洗濯機への微妙な高さ調整が不可能である。
本発明は以上の問題点を解決しようとするものである。
【課題を解決するための手段】
【０００４】  方形状の枠体に格子状に組んだ複数の桟を有し、さらに伸縮調整自在の脚部を有し形成された本体に磁石を内蔵したＵ字状の押さえ部にて外横枠をまたいで洗濯機に磁着させ引っ掛け部を有する物品収納カゴを、組まれた桟の希望の場所に引っ掛け物品収納を可能とすることを特徴とする洗濯機用簡易収納棚。
枠本体は外縦枠と外横枠を方形状につなぎ、その枠体の内側に格子状に組んだ複数の桟を有する。外横枠の下部には脚部を有しており、その内部は先端にゴムを有した挿入軸が自在に出入りできる構造であり伸縮調整が可能である。この挿入軸を出入りさせることで枠本体の高さを自在に調整することができる。Ｕ字状の押さえ部は内部に磁石を有しており、上部下部それぞれの外横枠の左右にＵ字状の押さえ部で外横枠をまたいで、洗濯機に磁着させ枠本体を固定する。
収納物を入れるカゴの背部には引っ掛け部を有しており、枠本体に有する桟に自在に引っ掛け取り付けが可能である。
複数の桟が格子状に組まれているのでカゴを取り付けたい場所に設置することができる。中横桟の横幅以内であれば大きさを問わず用途に合わせて複数のカゴを希望の場所に設置することができる。本発明品は洗濯機の前面にも側面にも設置が可能であり洗濯作業を邪魔することなく洗濯機まわりの物品収納が円滑にできる。
【発明の効果】
【０００５】  伸縮調整が自在の脚部を有しているので枠本体の高さを自在に調整が可能であり多機能の洗濯機に対応することができる。また押さえ部は磁石内蔵であるため横幅の狭い洗濯機に設置するときは外横枠をまたぐときに洗濯機の幅に合わせて内側でまたぎ磁着させることにより安定した多機種に渡る設置が可能となる。桟は複数の中縦桟と中横桟から成る格子状を形成していることから収納物を入れるカゴを希望の位置に設置することが可能である。別置きの乾燥機を洗濯機の上部空間に設置しても本発明品を設置することができる。本体の組み立ては洗濯機を介さなくても容易に行えて移動も楽にできる。洗濯機の上部取り出し口を開閉させる際、作業の邪魔にならず前面及び側面に取り付けが可能である。
【発明を実施するための最良の形態】
【０００６】  以下、本発明の実施の形態について説明する。
（イ）枠本体は外縦枠（１）と外横枠（２）を方形状につなぎ、その外枠（Ａ）の内側に格子状に組んだ中縦桟（４）と中横桟（３）を複数有した桟（Ｂ）より形成される。
（ロ）外横枠（２）の下部には脚部（５）を有しており、先端にゴム（７）を有した挿入軸（６）は脚部（５）の内部を自在に出入りできる構造であり伸縮調整が可能である。
（ハ）Ｕ字状の押さえ部（８）は内部に磁石（１１）を有しており、上部下部それぞれの外横枠（２）の左右にＵ字状の押さえ部（８）で外横枠（２）をまたいで、洗濯機（１５）に磁着させ枠本体を固定する。
（ニ）収納物を入れるカゴ（９）の背部には引っ掛け部（１０）を有しており、枠本体に有する桟（Ｂ）に自在に引っ掛け取り付けが可能である。
本発明は以上の構成よりなっている。
本発明を使用するときは、枠本体を洗濯機（１５）の前面及び側面の取り付けしたい場所にあてがい挿入軸（６）の長さを調節して高さを合わせる。押さえ部（８）を上部下部の外横枠（２）に左右それぞれまたがせて洗濯機（１５）に磁着させる。押さえ部（８）は内部に磁石（１１）を内蔵しており洗濯機（１５）に近ずけると磁着されるので外横枠（２）をまたいでいることで枠本体は洗濯機（１５）にしっかりと固定される。このとき洗濯機の幅が狭いときは押さえ部（８）がまたぐ外横枠（２）の内側にまたいで取り付けることにより安定した設置が成される。洗濯機は高さ、幅、形状が機種により微妙な違いがあり、それぞれにあった調節をすることにより多機種の洗濯機に対応することができる。収納物を入れるカゴ（９）の背部には引っ掛け部（１０）を有しており枠本体に有する桟（Ｂ）に自在に引っ掛け取り付けが可能である。複数の桟が格子状に組まれているのでカゴ（９）を取り付けたい場所に設置することができる。
中横桟（３）の横幅以内であれば大きさを問わず用途に合わせて複数のカゴ（９）を希望の場所に設置することができる。
本発明品は洗濯機の上部空間に棚を組んだ別置きの乾燥機等が設置されていても問題なく洗濯機の前面及び側面に取り付けが可能であり洗濯作業を邪魔することなく洗濯機まわりの物品収納が円滑にできるものである。
図５、図６は押さえ部の応用例である。押さえ部（１２）は内部に磁石（１３）を有し、さらに背部には貫通孔（１４）を有している。貫通孔（１４）には外横枠（２）が貫通されており押さえ部（１２）と一体化している。幅の狭い洗濯機に取り付ける場合は外横枠（２）を囲う貫通孔を有する押さえ部（１２）を外横枠（２）に沿って内側に滑らせることにより安定した固定が成される。
【図面の簡単な説明】
【０００７】
【図１】本発明の使用状態を示す斜視図
【図２】本発明の正面図
【図３】本発明の押さえ部（８）の斜視図
【図４】本発明の押さえ部（８）の断面図
【図５】本発明の押さえ部（１２）の他の実施例を示す断面図
【図６】本発明の押さえ部（１２）の他の実施例の使用状態を示す斜視図
【図７】本発明のカゴ（９）の使用状態を示す側面図
【符号の説明】
【０００８】１、外縦枠  ２、外横枠  ３、中横桟  ４、中縦桟  ５、脚部  ６、挿入軸  ７、ゴム  ８、押さえ部  ９、カゴ  １０、引っ掛け部  １１、磁石  １２、押さえ部  １３、磁石  １４、貫通孔  １５、洗濯機  Ａ、外枠  Ｂ，桟
【図１】
2009125559.tif 000003
【図２】
2009125559.tif 000004
【図３】
2009125559.tif 000005
【図４】
2009125559.tif 000006
【図５】
2009125559.tif 000007
【図６】
2009125559.tif 000008
【図７】
2009125559.tif 000009